(57)【特許請求の範囲】
【請求項１】
ユニットバス等の壁面パネルにボルト及び壁面パネル背後に配置した座金ナットを使用して手摺りが固定されている手摺りの取付構造であって、
前記壁面パネルの背後に補強板が配置されると共に、前記補強板は結合可能な雄ブッシュと雌ブッシュで壁面パネルに固定され、前記補強板の背後には座金ナットが固定され、前記座金ナットにボルトを介して手摺り端部に形成された取付けフランジ部が固定されていることを特徴とする手摺りの取付構造。
【請求項２】
前記雌ブッシュは、前記壁面パネルの一側面から、雄ブッシュは、壁面パネルの他側面からそれぞれ螺合されており、前記補強板が壁面パネルに固定されていることを特徴とする請求項１に記載の手摺りの取付構造。
【請求項３】
前記補強板に形成された取付け孔は、前記雌ブッシュの筒部の外径寸法より大きく形成されていることを特徴とする請求項１または２に記載の手摺りの取付構造。
【請求項４】
前記壁面パネルに形成された取付け孔は、前記雌ブッシュの筒部の外径寸法より大きく形成されていることを特徴とする請求項１または２に記載の手摺りの取付構造。
【請求項５】
前記雌ブッシュと雄ブッシュは、それぞれフランジ部を有しており、前記フランジ部の間で前記壁面パネルと補強板が挟持されていることを特徴とする請求項１〜４の何れか１に記載の手摺りの取付構造。
【請求項６】
ユニットバス等の壁面パネルにボルト及び壁面パネル背後に配置した座金ナットを使用して手摺りを固定する手摺りの取付方法であって、
前記壁面パネルの背後に補強板を配置すると共に、前記補強板を結合可能な雄ブッシュと雌ブッシュとで壁面パネルに仮固定する仮固定工程と、前記補強板の背後に座金ナットを固定する固定工程と、前記座金ナットにボルトを介して手摺り端部に形成された取付けフランジ部を固定する固定工程とを備えたことを特徴とする手摺りの取付方法。
【発明の詳細な説明】
【技術分野】
【０００１】
本発明は、ユニットバス等の壁面に手摺り（ハンドバー）を取り付ける手摺りの取付構造及び取付方法に関するものである。
【背景技術】
【０００２】
従来、ユニットバスに手摺りを付けようとすると取り付け部分の下地がない為に特許文献１に示すように台座付きの手摺りを壁面パネルに取り付けていた。
また、最近では図５、６に示す様に壁面パネル１の裏面に配設された保温材２に切欠き部２ａを設け、この切欠き部に補強板３とこれにビス４で固定された座金ナット５を両面テープ等で仮止めしておき、浴槽搬入後に壁面パネル１の取付け孔Ｘからボルト７を挿入して手摺り６を固定する構造が知られている。
【先行技術文献】
【特許文献】
【０００３】
【特許文献１】特開２００１−３２４９４号公報
【発明の概要】
【発明が解決しようとする課題】
【０００４】
しかし、従来の特許文献１に示す手摺りの取付構造では、台座が室内側に露出しており、外観上に問題が存在した。
また、図５、６に示す取付構造では、先に手摺りを組み立てしまうと、浴槽搬入等の後工程の妨げになってしまうため、壁面パネルの裏側にコーキング材や両面テープで座金ナットと補強板を仮固定していたが、信頼性が低く施工途中で剥離落下するおそれが存在した。また、壁面パネルを設置後に座金ナットと補強板が落下すると取り出すのが困難であった。
【０００５】
この発明は、上記したような従来の不都合を解消する為になされたもので、補強板を結合可能な雄ブッシュと雌ブッシュで壁面パネルに仮固定すると共に、座金ナットを補強板に固定するので、座金ナットにボルトを介して手摺りを固定する際に壁面パネルの裏に座金ナットと補強板が落下するおそれのない手摺りの取付構造を提供するものである。
【課題を解決するための手段】
【０００６】
この発明は、以下のような内容である。
（１）上記目的を達成するため、本発明はユニットバス等の壁面パネルにボルト及び壁面パネル背後に配置した座金ナットを使用して手摺りを固定する手摺りの取付構造であって、前記壁面パネルの背後に補強板を配置すると共に、前記補強板を結合可能な雄ブッシュと雌ブッシュで壁面パネルに仮固定し、前記補強板の背後に座金ナットを固定し、前記座金ナットにボルトを介して手摺り端部に形成された取付けフランジ部を固定することを特徴とする。
（２）また、前記雌ブッシュは、前記壁面パネルの一側面から、雄ブッシュは、壁面パネルの他側面からそれぞれ螺合し、前記補強板を壁面パネルに固定することを特徴とする。
（３）前記補強板に形成された取付け孔は、前記雌ブッシュの外径寸法より大きく形成されたことを特徴とする。
（４）前記壁面パネルに形成された取付け孔は、前記雌ブッシュの外径寸法より大きく形成されたことを特徴とする。
（５）前記雌ブッシュと雄ブッシュは、それぞれフランジ部を有しており、前記フランジ部の間で前記壁面パネルと補強板を挟持することを特徴とする。
（６）また、本発明の手摺りの取付方法は、ユニットバス等の壁面パネルにボルト及び壁面パネル背後に配置した座金ナットを使用して手摺りを固定する方法であって、前記壁面パネルの背後に補強板を配置すると共に、前記補強板を結合可能な雄ブッシュと雌ブッシュとで壁面パネルに仮固定する仮固定工程と、前記補強板の背後に座金ナットを固定する固定工程と、前記座金ナットにボルトを介して手摺り端部に形成された取付けフランジ部を固定する固定工程とを備えたことを特徴とする。
【発明の効果】
【０００７】
この発明によれば、ユニットバス等の壁面パネルにボルト及び壁面パネル背後に配置した座金ナットを使用して手摺りを固定する手摺りの取付構造であって、前記壁面パネルの背後に補強板を配置すると共に、前記補強板を結合可能な雄ブッシュと雌ブッシュで壁面パネルに仮固定し、前記補強板の背後に座金ナットを固定し、前記座金ナットにボルトを介して手摺り端部に形成された取付けフランジ部を固定するので、浴槽搬入後に手摺りを取り付けることができ、浴槽搬入の際に邪魔になるおそれがない。また、補強板と座金ナットがブッシュによって仮固定されているので、壁面パネルの裏側に落下するおそれがなく手摺り取り付け作業を効率化することができる。
また、前記雌ブッシュは、前記壁面パネルの一側面から、雄ブッシュは、壁面パネルの他側面からそれぞれ螺合し、前記補強板を壁面パネルに固定するので、補強板を壁面パネルに確実に仮固定できる。また、雌ブッシュに対する雄ブッシュの入れ込み具合を調整することで、使用する補強板の厚みに幅を持たせることができる。
また、前記補強板に形成された取付け孔は、前記雌ブッシュの外径寸法より大きく形成されたので、座金ナットの取り付け位置が可動となり、孔位置の誤差を吸収することができる。
また、前記壁面パネルに形成された取付け孔は、前記雌ブッシュの外径寸法より大きく形成されたので、座金ナットの取り付け位置が可動となり、孔位置の誤差を吸収することができる。
また、前記雌ブッシュと雄ブッシュは、それぞれフランジ部を有しており、前記フランジ部の間で前記壁面パネルと補強板を挟持するので、補強板を壁面パネルに確実に仮固定できる。
また、本発明の手摺りの取付方法は、ユニットバス等の壁面パネルにボルト及び壁面パネル背後に配置した座金ナットを使用して手摺りを固定する方法であって、前記壁面パネルの背後に補強板を配置すると共に、前記補強板を結合可能な雄ブッシュと雌ブッシュとで壁面パネルに仮固定する仮固定工程と、前記補強板の背後に座金ナットを固定する固定工程と、前記座金ナットにボルトを介して手摺り端部に形成された取付けフランジ部を固定する固定工程とを備えたので、浴槽搬入の際に邪魔になるおそれがない。また、補強板と座金ナットがブッシュによって仮固定されているので、壁面パネルの裏側に落下するおそれがなく手摺り取り付け作業を効率化することができる。
【図面の簡単な説明】
【０００８】
【図１】図１は、本発明の一実施形態を示す手摺りの取付構造を示す分解説明図である。
【図２】図２は、同手摺りの取付構造に使用される雄雌ブッシュを示す断面図である。
【図３】図３は、同手摺りの取付構造における取付手順を示す説明図である。
【図４】図４は、同手摺りの取付構造示す説明図である。
【図５】図５は、従来の手摺りの取付構造における取付手順を示す説明図である。
【図６】図６は、従来の手摺りの取付構造を示す説明図である。
【発明を実施するための最良の形態】
【０００９】
本発明の手摺りの取付構造は、補強板を結合可能な雄ブッシュと雌ブッシュで壁面パネルに仮固定すると共に、座金ナットを補強板に固定するので、座金ナットにボルトを介して手摺りを固定する際に壁面パネルの裏に座金ナットと補強板が落下するおそれがない。また、取付け孔位置の誤差を吸収することができる。
【実施例１】
【００１０】
以下、一実施の形態を示す図面に基づいて本発明を詳細に説明する。図１は本発明の一実施形態を示す手摺りの取付構造を示す分解説明図、図２は雄雌ブッシュを示す断面図、図３は本発明の手摺りの取付構造における取付手順を示す説明図である。ここで、手摺りの取付構造１０は、ユニットバス等の壁面パネル１１にボルト７及び壁面パネル背後に配置した座金ナット１２を使用して手摺りを固定するものであって、前記壁面パネル１１の背後に補強板１３を配置すると共に、前記補強板１３を例えば螺子結合可能な雄ブッシュ１４と雌ブッシュ１５で壁面パネル１１に仮固定し、前記補強板１３の背後に座金ナット１２をビス４で固定し、前記座金ナット１２にボルト７を介して手摺り１６の端部に形成された取付けフランジ部１７を固定するものである。なお、前記補強板１３に対する座金ナット１２の固定は、必ずしもビスであることを要せず、他の公知の手法を以て固定することも可能である。
【００１１】
座金ナット１２は、中央にボルト７の螺合する螺子孔１２ａを有するとともに、端部近傍にビス孔１２ｂを有している。また、螺子孔１２ａの形成された中央領域は、外方に突状に変位して後述する雄ブッシュ１４のフランジ部を収納するスペースを確保している。
【００１２】
補強板１３は、平板状をしており中央にブッシュ１４、１５の挿通される取付け孔１３ａを有している。取付け孔１３ａの孔径Ｈは、雌ブッシュ１５の外径寸法ｈより大きく形成されており、座金ナット１２の位置を移動することで、孔位置の誤差を吸収することができる。
【００１３】
雄ブッシュ１４は、筒部１４ａとフランジ部１４ｂとから構成され、筒部１４ａの外周には雌ブッシュ１５と螺合する雄螺子が形成されている。雌ブッシュ１５は、筒部１５ａとフランジ部１５ｂとから構成され、筒部１５ａの内周には雌螺子が形成されている。このように形成された雄ブッシュ１４と雌ブッシュ１５は、それぞれ螺合することにより壁面パネル１１に補強板１３を両フランジ部の間で保持する。なお、雄ブッシュ１４と雌ブッシュ１５は嵌合等、螺子以外の結合手段で結合することも可能である。
【００１４】
手摺り１６は、浴室内の手摺り（ハンドバー）として使用される一般的なものと同様で中空パイプ等の端部にボルト孔１７ａを有する取付けフランジ部１７を備えている。また、取付けフランジ部１７は、カバー部材１８によって覆われ、ボルト７を外部から見えなくする。
【００１５】
このように構成された手摺りの取付構造１０の壁面パネル１１への取り付け方法を説明する。先ず、仮固定工程において、壁面パネル１１の背後に補強板１３を配置すると共に、補強板１３の取付け孔１３ａに壁面パネル１１に形成された取付け孔Ｘの室内側から雌ブッシュ１５を裏面側から雄ブッシュ１４を螺合させ、双方のフランジ部１４ｂ、１５ｂで壁面パネル１１に仮固定する。この時、取付け孔１３ａの孔径Ｈは、雌ブッシュ１５の外径寸法ｈより大きく形成されているので、孔位置の誤差を吸収することができる。また、双方のフランジ部１４ｂ、１５ｂの間隔は、螺子の螺合程度によって決まるので、種々の壁面パネルの厚さと補強板の厚さに対応することができる。更に、壁面パネル１１の室内側から雄ブッシュ１４を裏面側から雌ブッシュ１５を螺合させてもよい。
【００１６】
固定工程において、補強板１３の背後に座金ナット１２を孔位置を調整した後、ビス４で固定する。この工程において、補強板１３と座金ナット１２は、壁面パネル１１の裏面に仮固定され、落下するおそれもない。
【００１７】
固定工程では、座金ナット１２にボルト７を螺合し、手摺り端部に形成された取付けフランジ部１７を介して手摺り１６を壁面パネル１１に固定する。更に、カバー部材１８を手摺り端部に取り付ける。
【００１８】
なお、以上の説明では、補強板１３の 取付け孔１３ａの孔径Ｈを、雌ブッシュ１５の外径寸法ｈより大きく形成する例について説明した、壁面パネル１１に形成された取付け孔Ｘの孔径を、雌ブッシュ１５の外径寸法ｈより大きく形成しても、孔位置の誤差を吸収することができる。
【００１９】
本発明では、手摺りを壁面パネルに取り付ける際、補強板、座金ナットが壁面パネル裏面に脱落するおそれがなく、また浴槽搬入後に手摺りの取り付け施工ができるので、作業性を向上することができる。
【符号の説明】
【００２０】
１    壁面パネル
２    保温材
３    補強板
４    ビス
５    座金ナット
６    手摺り
７    ボルト
１０    手摺りの取付構造
１１    壁面パネル
１２    座金ナット
１２ａ  螺子孔
１２ｂ  ビス孔
１３    補強板
１３ａ  取付け孔
１４    雄ブッシュ
１４ａ  筒部
１４ｂ  フランジ部
１５    雌ブッシュ
１５ａ  筒部
１５ｂ  フランジ部
１６    手摺り
１７    取付けフランジ部
１８    カバー部材
【図１】
0005967474.tif 000002
【図２】
0005967474.tif 000003
【図３】
0005967474.tif 000004
【図４】
0005967474.tif 000005
【図５】
0005967474.tif 000006
【図６】
0005967474.tif 000007